(57)【要約】【課題】  幅木が、一体になっている足場板を枠体に設置したあと、順次一人の作業員でも簡単に幅木を起立させることができ、幅木をセットした後も足場板面は水平性を保ち、建設現場で安全な作業が保障されるとともに何度も使い回しされても幅木の破損等が少ない足場板を目的とする。【解決手段】  長手方向の両端部側にフック２を有する足場板１において、この足場板１の上面側に、この足場板１の幅方向の内側に第１のヒンジ部３を有して開閉する開口蓋４が設けられた収納部５と、この収納部５に前記足場板１の幅方向端部側に回動部６を設け、前記足場板１の幅方向端部側に前記回動部６を介して足場板１の幅方向端部に起立可能な幅木７ａ、７ｂを設けてなる。【選択図】図２
2010255389.tif 000002
【特許請求の範囲】
【請求項１】
長手方向の両端部側にフックを有する足場板において、前記足場板の上面側に、この足場板の幅方向の内側に第１のヒンジ部を有して開閉する開口蓋が設けられた収納部と、この収納部に前記足場板の幅方向端部側に回動部を設け、前記足場板の幅方向端部側に前記回動部を介して足場板の幅方向端部に起立可能な幅木を設けてなることを特徴とする足場板。
【請求項２】
前記幅木の中間に第２のヒンジ部を設け、折りたたみ収納できる構造としたことを特徴とする前記請求項１記載の足場板。
【請求項３】
前記幅木を複数のＬ字状の連結棒の一端に連結するとともに、前記Ｌ字状の連結棒の他端側は、前記足場板内に保持させて、前記幅木の起立時に前記足場板の側部側に突出して前記幅木を支持するとともに前記幅木を起立した状態の下部をＬ字状に形成し、前記足場板上面に起立載置可能としたことを特徴とする前記請求項１乃至２に記載の足場板。
【請求項４】
前記幅木には、ワイヤなどの紐部材で中さんが結びつけられてなるとともに、前記中さんには、外部の枠体などに固定する中さんフックが設けられてなることを特徴とする前記請求項１乃至３に記載の足場板。
【請求項５】
前記足場板１の長手方向に対抗する前記フック２，２は、足場板１の幅方向端部からの取り付け位置が異なった位置に取り付けるとともに、前記収納部５を収納部付足場部材１０と、同じ形状の収納部付足場部材１０を互いに収納部５が外側になるようにして連接して構成したことを特徴とする前記請求項１乃至４に記載の足場板。
【発明の詳細な説明】
【技術分野】
【０００１】  本発明は、枠組み足場の使用に適する足場板において、足場の幅方向の端部に工具などが落下しないように幅木などを設けた足場板に関する。
【背景技術】
【０００２】  例えば、建設現場では、建築物の周囲に建わくと、この建わくに架設された横架材で枠体が構成される。そして、足場板は、前記横架材にフックを介して架設して足場を形成されるようにしている。【０００３】  しかしながら、建設現場では、上記足場板から釘、ボルト、工具など、あるいは小さな建築材料などがこぼれて落下する危険から事故を招くおそれがあった。そこで近年、この足場板の幅方向端部からの落下物を防止するために幅木や丈夫な布、金網（あるいはメッシュシート）などを設置することが重要であり、またそれを義務付けられつつある。【０００４】
【特許文献１】特開平８−１２８１９２号公報
【発明の表示】
【発明が解決しようとした課題】
【０００５】  そこで、先行技術として、特許文献１で開示されているような足場板が提案された。この特許文献１に開示されている足場板は、水平な板本体と、板本体の前後両端に設けた複数のフックで枠体の横架材に引掛け、また板本体の幅方向左右両端に回転自在に設けた幅木が、板本体の幅方向端部に起立させるようになっている。
【０００６】  具体的には、板本体の左右（幅方向）両端下部と幅木の下部とがヒンジを介して結合され、幅木がこのヒンジを中心に回転して使用時に板本体の左右（幅方向）両端に起立すると共に不使用時に板本体の裏側に格納される。
【０００７】  このように幅木が、足場板と一体になっているので、枠体に足場板を設置したあと、順次幅木を起こせばよく、足場板を設置した後に、幅木を別途持ち運ばなくてもよく、作業性は改善された。
【０００８】  しかしながら、上記従来の足場板を利用した場合、次のような不具合がある。足場板は、枠体の横架材にフックを引掛け、足場板をセットした後、板本体の裏側（下面）に格納される幅木を下面から板本体の幅方向左右両端に回転させて板本体に起立させるため足場板の下面側にいる作業員に起立させてもらう作業を手伝ってもらわなければならず操作性が悪かった。
【０００９】  そこで本発明者は、足場板の上面側で幅木を起立できるという着想のもと、足場板の幅方向外側端部にヒンジ部を設け、幅木を起立させる構造を試みたが、幅木を起立した後の足場板面が凸凹になったり、足場板の幅方向の半分くらいに達する幅の幅木を起立させるとなると操作性が著しく悪くなるなどの問題が起きた。また、足場板は、長期間使い回しされるので、幅木が足場板面に常に表出していると、倉庫に多数積み重ねられて収納されたり、トラックで移送されたりする際、幅木に衝撃が加わり、破損して、使えなくなったりして足場板自体も利用できなくなったりすることが想定された。
【００１０】  以上述べたように、本発明による足場板は、この足場板に幅木が、一体になっている足場板を枠体に設置したあと、順次一人の作業員でも簡単に幅木を起立させることができ、幅木をセットした後も足場板面は水平性を保ち、建設現場で安全な作業が保障されるとともに何度も使い回しされても幅木の破損等が少ない足場板を目的とする。
【課題を解決するための手段】
【００１１】  上記目的を達成するために請求項１に係る足場板は、長手方向の両端部側にフックを有する足場板において、前記足場板の上面側に、この足場板の幅方向の内側に第１のヒンジ部を有して開閉する開口蓋が設けられた収納部と、この収納部に前記足場板の幅方向端部側に回動部を設け、前記足場板の幅方向端部側に前記回動部を介して足場板の幅方向端部に起立可能な幅木を設けてなることを特徴としている。
【００１２】  また、請求項２に係る足場板は、前記幅木の中間に第２のヒンジ部を設け、折りたたみ収納できる構造としたことを特徴としている。
【００１３】  さらに請求項３に係る足場板は、前記幅木を複数のＬ字状の連結棒の一端に連結するとともに、前記Ｌ字状の連結棒の他端側は、前記足場板内に保持させて、前記幅木の起立時に前記足場板の側部側に突出して前記幅木を支持するとともに前記幅木を起立した状態の下部をＬ字状に形成し、前記足場板上面に起立載置可能としたことを特徴とする。
【００１４】  さらに請求項４に係る前記足場板１の長手方向に対抗する前記フック２，２は、足場板１の幅方向端部からの取り付け位置が異なった位置に取り付けるとともに、前記収納部５を収納部付足場部材１０と、同じ形状の収納部付足場部材１０を互いに収納部５が外側になるようにして連接して構成したことを特徴とする。
【図面の簡単な説明】
【００１５】
【図１】足場板１の平面説明図。
【図２】図１のＸ−Ｘの断面説明図。
【図３】足場板１の側面説明図。
【図４】足場板１の幅木を起立させる状態を示す説明図。
【図５】足場板１の幅木を起立させる状態を示す説明図。
【図６】足場板１を他の足場板と連結する状態を示す説明図。
【図７】足場板１と幅木を連結する連結棒の説明図。
【図８】足場板１の製造状態を示す説明図。
【図９】足場板１の幅の異なる実施例を示す説明図。
【図１０】足場板１が建設現場で使用される枠体と足場板１の説明図。
【発明を実施するための形態】
【００１６】  図１は、足場板１の平面説明図であり、この足場板１の長手方向両端部には、図１０で示されるように建設現場などで組まれる枠体２５に組み込まれた横架材３０に引掛けるフック２が設けられている。
【００１７】  次に図２を含めて説明すると、この足場板１は、幅方向の内側に第１のヒンジ部３を有して開閉する開口蓋４が設けられた収納部５と、この収納部５に前記足場板１の幅方向端部側に回動部６を有し、前記足場板１の幅方向端部側に前記回動部６を介して起立可能な幅木７ａ、７ｂが第２のヒンジ部８を介して収納部５内部に折りたたまれて収納されている。
【００１８】  また、幅木７ａ、７ｂのうち、７ａが、複数のＬ字状の連結棒２０の一端に連結されるとともに、前記Ｌ字状の連結棒２０の他端側は、前記足場板１内の保持枠１１に保持されている。この連結棒２０は、図７に示されるように、保持枠１１に入っている側は、Ｔの字状２１になっていて、他端側が、保持枠１１に設けられたスリット９（図３、図４、図５参照）から突き出て、幅木７ａに接続され支持されている。したがって、この連結棒２０が回動部６を中心に幅木７ａ、７ｂを収納部５に収納したり、開口蓋４を開けて、足場板１の幅方向端部側に起立させたりすることができるようになっている。
【００１９】  連結棒２０は、前記幅木７ａ、７ｂの起立時に前記足場板１の側部側に突出して前記幅木７ａ、７ｂを支持するとともに前記幅木７ａ、７ｂを起立した状態の下部（７ａ）をＬ字状に形成し、前記足場板１上面に起立載置されるようになっている。
【００２０】  さらに、幅木７ｂ端部側には、枠体２５で組まれる中さん３１がワイヤ３２で繋がっており、また中さん３１には、枠体２５の交さ筋違い２８に引っ掛けてセットされる中さんフック３４が設けられている。これらが、一体となって収納部５に収められている。
【００２１】  図１の平面説明図及び図８の足場板１の製造状態を示す説明図に示されるように、足場板１は幅方向２分された同一の収納部付足場部材１０を連結部材１５で合体して製造される。また、足場板１の左右のフック２、２は、足場板１の幅方向端部からの取り付け位置が異なっており、足場板１を、長手方向に多数連接し横架体に引掛けたとき、長手方向に隣合う足場板１のフック２がぶつからないようになっている。このように構成された収納部付足場部材１０を互いに収納部５側を外側にして連結部材１５で長手方向両端をリベット留め又は溶接など適宜な方法で固定し合体されている。
【００２２】  本実施例では、前記収納部付足場部材１０の幅が２４５ｍｍで、連結部材１５で２つの前記収納部付足場部材１０を合体する際、間に１０ｍｍの隙間を設けて合体し、幅を５００ｍｍにしている。また、建設現場等で組まれる枠体の規模及び建わくの間隔が異なる場合もあり、図９（ａ）（ｂ）に示されるように間に２５０ｍｍ程度の中間足場板部材４１や４００ｍｍ程度の中間足場板部材４２を介在して合体することにより、７５０ｍｍ、９００ｍｍ程度などサイズが異なった足場板１を提供することができる。こうすることで各種サイズの足場板を製造原価を落とすことができる。
【００２３】  次に本発明の足場板１の使用状態を図３乃至図６に基づいて使用状態を説明する。足場板１は、図３に示されるように先ず、建設現場に組まれた枠体の横架材３０にフック２を引掛け、設置していく。その後、図４、図５に示されるように開口蓋４を開け、回動部６を中心に回動させ幅木７ａ、７ｂを起こして、さらに第２のヒンジ部８を中心に幅木７ａ、７ｂを折りたたみ状態から広げて起立させて、開口蓋４を元に戻して収納部５を塞ぐ。その際、連結棒２０を後ろに引きよせ（図５参照）開口蓋４を塞いでから、連結棒２０を元に戻して、幅木７ａの下部のＬ字状部分を開口蓋４の上に載置して起立させる。
【００２４】  このようにすると足場板１から建設工具類や、建設材料などの落下を完全に防げる。さらに、図６に示すように、足場板１の長手方向に多数連結して、セットしていく際、連結部分で互いに隣接する幅木７ａ、７ｂ間は、幅木連結板２３で連結される。この幅木連結板２３は、図６中、奥手側にもう１枚板が重なっていて、幅木７ａ、７ｂが挟める隙間を有して構成されていて、この隙間に、図中左右の幅木７ｂ、７ａ、７ｂ、７ａの上部からスライドさせて挟み込みセットできるようになっている。こうすることで、左右の幅木７ｂ、７ａは、互いに連接されるとともに、それぞれの幅木７ｂ、７ａは、折りたたまれることなく広げた状態を保つことができる。この幅木連結板２３は、通常、幅木７ａ、７ｂと共に収納部５に収められていて、ワイヤ３３で足場板１の適宜な場所に結ばれており、不用意に足場板１から落下しないようになっている。
【００２５】  また、連結部材１５は、左右の収納部付足場部材１０を連結するだけでなく、フック２の上部を覆うとともに、フック２が横架材３０に引っ掛けた際に、連接する足場板１と横架材３０間の隙間を覆い、足場板１と横架材３０の間からの落下物を防止できるようになっている。
【００２６】  本発明で実施される足場板１の材質は、軽量鋼材またはアルミ合金などが適宜選択される。また本実施例では、中さん３１も幅木７ｂにワイヤ３２で結びつけられており、幅木をセットするときに同時にセットでき、きわめて効率よく作業ができる。また、幅木は、７ａ、７ｂに分離して第２のヒンジ部８を介して折りたためるようにしたが、収納部５のサイズ又は、幅木のサイズが満たされていれば、折りたたみ式ではなくて１枚もので構成してもよい。
【００２７】  以上のように本発明の足場板１は、幅木７ａ、７ｂを収納する構成としたので、枠体に足場板１を設置する際、幅木を意識することなく設置でき、設置後も足場板上面Ａ側で開口蓋４を開け、簡単に幅木７ａ、７ｂを足場板１上で起立させることができる。さらに、足場板１を回収、保管する際も幅木７ａ、７ｂを足場板１上面Ａ側で、足場板１の収納部５内に収納して、回収、保管ができるので、幅木７ａ、７ｂを破損させることなく長期間使用できる。
【符号の説明】
【００２８】  １・・・足場板
２・・・フック
３・・・第一のヒンジ部
４・・・開口蓋
５・・・収納部
６・・・回動部
７ａ、７ｂ・・・幅木
８・・・第２のヒンジ部
１０・・・収納部付足場部材
１１・・・保持枠
１５・・・連結部材
１６、１７・・・リベット穴
２０・・・連結棒
２３・・・幅木連結プレート
３０・・・横架材
３１・・・中さん
３２、３３・・・ワイヤ
３４・・・中さんフック
【図１】
2010255389.tif 000003
【図２】
2010255389.tif 000004
【図３】
2010255389.tif 000005
【図４】
2010255389.tif 000006
【図５】
2010255389.tif 000007
【図６】
2010255389.tif 000008
【図７】
2010255389.tif 000009
【図８】
2010255389.tif 000010
【図９】
2010255389.tif 000011
【図１０】
2010255389.tif 000012